(57)【要約】【課題】  ライトガイド先端によってオフ操作が行われることがあるという現実を直視し、仮にライトガイド先端によってオフ操作が行われたとしても確実なオフ操作を行うことができる内視鏡光源装置を得る。【解決手段】  ライトガイドを着脱自在に挿脱するアウトプットコネクタと、このアウトプットコネクタに装着されたライトガイドの光入射端面に対向する光源ランプと、この光源ランプの電源をオンオフする押しボタン式電源スイッチとを有する内視鏡光源装置において、押しボタン式電源スイッチの押し面に、ライトガイド先端の少なくとも一部が嵌まり込む凹面を設けた内視鏡光源装置。【選択図】  図１
2006055408.tif 000002
【特許請求の範囲】
【請求項１】
ライトガイドを着脱自在に挿脱するアウトプットコネクタと、このアウトプットコネクタに装着されたライトガイドの光入射端面に対向する光源ランプと、この光源ランプの電源をオンオフする押しボタン式電源スイッチとを有する内視鏡光源装置において、
上記押しボタン式電源スイッチの押し面に、上記ライトガイド先端の少なくとも一部が嵌まり込む大きさの凹面を設けたことを特徴とする内視鏡光源装置。
【請求項２】
請求項１記載の内視鏡光源装置において、上記ライトガイドを挿入する接続穴と押しボタン式電源スイッチとは、光源装置ケーシングの同一の面に設けられている内視鏡光源装置。
【請求項３】
請求項１または２記載の内視鏡光源装置において、上記押しボタン式電源スイッチの押し面は、押し軸に直交する環状面と、この環状面の中心に位置する凹面とからなっている内視鏡光源装置。
【請求項４】
請求項１ないし３のいずれか１項記載の内視鏡光源装置において、上記押しボタン式電源スイッチの押し面の凹面の直径は、ライトガイドの先端部の直径より大径である内視鏡光源装置。
【発明の詳細な説明】
【技術分野】
【０００１】
本発明は、内視鏡光源装置に関し、特にその押しボタン式電源スイッチに関する。
【背景技術】
【０００２】
体内挿入部先端に照明光を与えるための内視鏡光源装置は、体内挿入部先端に連なるライトガイドの後端部を着脱自在に挿脱するアウトプットコネクタと、このアウトプットコネクタに装着されたライトガイドの光入射端面に対向する光源ランプと、この光源ランプの電源をオンオフする電源スイッチとを備えている。電源スイッチは、押しボタンタイプとシーソータイプに大別され、押しボタンタイプでは、操作者が指で操作しやすいようにその押し面を凸面または平面から構成している。
【０００３】
この内視鏡光源装置では、術者（医者）が内視鏡検査終了時に、ライトガイドをアウトプットコネクタから抜いた後、該ライトガイドの先端で電源スイッチをオフ操作することがあった。無論、このような操作は勧められる操作ではない。しかし、このライトガイド先端によるオフ操作は、電源スイッチが押しボタン式の場合、滑って確実なオフ操作ができない場合がある。
【特許文献１】特開２００２-１３４２９０号公報
【発明の開示】
【発明が解決しようとする課題】
【０００４】
本発明は、ライトガイド先端によって電源のオフ操作が行われることがあるという現実を直視し、仮にライトガイド先端によってオフ操作が行われたとしても確実なオフ操作を行うことができる内視鏡光源装置を得ることを目的とする。
【課題を解決するための手段】
【０００５】
本発明は、押しボタン式電源スイッチの押し面（操作面）にライトガイド先端の少なくとも一部が嵌まり込む凹面を設ければ、ライトガイド先端で電源のオフ操作を行っても確実な操作ができるという着眼に基づいてなされたものである。
【０００６】
すなわち、本発明は、ライトガイドを着脱自在に挿脱するアウトプットコネクタと、このアウトプットコネクタに装着されたライトガイドの光入射端面に対向する光源ランプと、この光源ランプの電源をオンオフする押しボタン式電源スイッチとを有する内視鏡光源装置において、押しボタン式電源スイッチの押し面に、ライトガイド先端の少なくとも一部が嵌まり込む凹面を設けたことを特徴としている。
【０００７】
本発明は、ライトガイドを挿脱する接続穴と押しボタン式電源スイッチとが、光源装置ケーシングの同一の面に設けられる場合に好適である。両者が同一の面に存在しなければ、ライトガイド先端で押しボタン式電源スイッチを操作する可能性は低い。
【０００８】
押しボタン式電源スイッチの押し面は、全体を凹面とすることも可能であるが、指で操作する場合を考慮すると、押し軸に直交する環状面と、この環状面の中心に位置する凹面とから構成することが好ましい。
【０００９】
押しボタン式電源スイッチの押し面の凹面の大きさは、具体的には、その直径を、ライトガイドの先端部の直径より大径とすることが望ましい。
【発明の効果】
【００１０】
本発明によれば、内視鏡光源装置の押しボタン式電源スイッチの押し面に、ライトガイド先端の少なくとも一部が嵌まり込む凹面を設けたので、ライトガイド先端で電源オフ操作を行う場合にも、確実なオフ操作を行うことができ、また指による操作も妨げることがない。
【発明を実施するための最良の形態】
【００１１】
図１は、本発明による内視鏡システム１の一実施形態を示す概略図である。内視鏡システム１は、観察部位（患者の病変部）を観察および処置する内視鏡１ａ、内視鏡１ａを接続する内視鏡光源装置１ｂを備えている。
【００１２】
内視鏡１ａは、観察者（術者）が把持する操作部１０と、操作部１０の側部に連結されているライトガイドケーブル１２と、ライトガイドケーブル１２の先端部に設けられたコネクタ部１６と、操作部１０から延出して観察対象の内部に挿入される挿入部１１とを有する。挿入部１１の先端部には、撮影手段１１ｃが配設されている。撮影手段１１ｃは、ＣＣＤ等（図示しない）の撮像素子を備えている。挿入部１１の先端面１１ａには、照明レンズ１１ｂが設けられている。
【００１３】
コネクタ部１６は、内視鏡光源装置１ｂに挿脱することができ、同一方向に平行に突出する差込用端部１５ａとプロセス回路用口金１７をそれぞれ有する。差込用端部１５ａの先端には、接続部１５ｂが設けられている。
差込用端部１５ａ、コネクタ部１６、ライトガイドケーブル１２、操作部１０、挿入部１１の内部には、一連のライトガイド１５が挿通されている。ライトガイド１５の一端部の光入射端面１４は差込用端部１５ａの先端面に配置され、他端部の光出射端面は挿入部１１先端の照明レンズ１１ｂに臨んでいる。プロセス回路用口金１７、コネクタ部１６、ライトガイドケーブル１２、操作部１０、挿入部１１の内部には、ライトガイド１５とは別に、一連の信号伝達ケーブル１８が挿通されている。信号伝達ケーブル１８は、撮影手段１１ｃに接続している。
【００１４】
内視鏡光源装置１ｂのケーシング６０は、底面と底面の端から立ち上がる４つの側壁と天面によって形成されており、その同一側面に近接して接続穴６１と押しボタン式電源スイッチ２０とが設けられている。接続穴６１にはコネクタ部１６が挿脱自在に嵌合する。押しボタン式電源スイッチ２０は、図２に拡大して示すように、操作者が電源をオンオフするときに押す押し面２１と、この押し面２１に直交して突出する押し軸２４とを備えている。
【００１５】
押し面２１は、押し軸２４と直交する平面形状の環状面２２と、断面半円形状の凹面２３とからなっている。凹面２３は、環状面２２の中心に位置しており、ライトガイド１５先端（差込用端部１５ａ先端）の一部が嵌まり込むことができる大きさ（直径）を有している。なお、凹面２３は、ライトガイド１５先端の直径より大径とすることもでき、このようにすると、より確実に電源のオフ操作を行うことができる。
押し軸２４の外囲には、押しボタン式電源スイッチ２０を常時その突出端に移動付勢するコイルバネ４２が配置されている。術者が電源のオンオフ操作をしたとき、押しボタン式電源スイッチ２０は、コイルバネ４２によって外側に押し出される。
【００１６】
内視鏡光源装置１ｂ（光源装置ケーシング６０）内には、光源ランプ３０、プロセス回路７０、電源部４４、ＣＰＵユニット５０、電源スイッチ補助板４０を配設している。
【００１７】
光源ランプ３０は、例えば、内部にキセノンガスを充填して照明光を出射するアークランプであり、アウトプットコネクタ１３に接続している。アウトプットコネクタ１３は、ライトガイド１５の接続部１５ｂを装着することができ、装着状態において光源ランプ３０の出射光は、アウトプットコネクタ１３の内部を通り、ライトガイド１５の光入射端面１４に入射する。
【００１８】
押しボタン式電源スイッチ２０の動きは、電源スイッチ補助板４０を介して電源部検知スイッチ４３ａ、ＣＰＵユニット検知スイッチ４３ｂに伝達される、すなわち、電源スイッチ補助板４０は、押し軸２４の先端が当接する押し当て部４５を有していて、押しボタン式電源スイッチ２０のオンオフ操作によって、前後移動する。
【００１９】
電源部検知スイッチ４３ａとＣＰＵユニット検知スイッチ４３ｂは、それぞれ光源ランプ３０の電源部４４とＣＰＵユニット５０に接続されていて、電源のオンオフ操作が行われたことを検知する。ＣＰＵユニット５０は、電源部４４の電流量を制御し、光源ランプ３０の出射光量等を検知する。メモリ５１は、検知した情報を記憶する。
【００２０】
ＣＰＵユニット５０に接続されたプロセス回路７０は、コネクタ部１６が接続穴６１に嵌合されると、プロセス回路用口金１７に挿通されている信号伝達ケーブル１８と連結する。プロセス回路７０は、信号伝達ケーブル１８を介して送られる電気信号を処理する。処理された電気信号は、観察部位の画像としてモニタ（図示しない）上に映し出される。つまり、観察部位の光学像は、撮影手段１１ｃに備えるＣＣＤ等の撮像素子に結像されて、電気信号に変換される。この電気信号はプロセス回路７０によって画像として処理されるため、術者は観察部位を確認することができる。
【００２１】
施術の前に、術者は内視鏡１ａを内視鏡光源装置１ｂに接続する。つまり、接続穴６１にコネクタ部１６を嵌合させる。コネクタ部１６を接続穴６１に嵌合すると、ライトガイド１５の接続部１５ｂはアウトプットコネクタ１３の先端に装着され、同時に、信号伝達ケーブル１８はプロセス回路７０に連結される。
術者が押しボタン式電源スイッチ２０を押すと、押し軸２４及び電源スイッチ補助板４０を介して電源部検知スイッチ４３ａ、ＣＰＵユニット検知スイッチ４３ｂが押され、電源部４４およびＣＰＵユニット５０の電源がオン状態なる。電源がオン状態になると、電源部４４は、光源ランプ３０、ＣＰＵユニット５０およびプロセス回路７０に電流を供給する。光源ランプ３０は、電源部４４から電流の供給を受けると、照明光を出射する。この照明光は、アウトプットコネクタ１３およびライトガイド１５を介して先端面１１ａの照明レンズ１１ｂに供給される。
【００２２】
術者は、内視鏡１ａの挿入部１１を患者の体内に挿入し、照明光によって照らされた病変部をモニタで確認しながら、その観察および処置を行う。観察および処置が終了した後、術者は、内視鏡１ａの挿入部１１を患者の体内から取り出す。コネクタ部１６を接続穴６１から取り外し、押しボタン式電源スイッチ２０を押すと、そのことを電源部検知スイッチ４３ａ、ＣＰＵユニット検知スイッチ４３ｂが検知して、電源部４４およびＣＰＵユニット５０に伝達する。すると、電源部４４およびＣＰＵユニット５０は電源がオフ状態になり、光源ランプ３０は消灯する。
【００２３】
電源のオフ操作を行うときに、術者によっては、コネクタ部１６の取り外し操作に続けて、この取り外したコネクタ部１６のライトガイド１５先端を凹面２３に嵌め込み、押しボタン式電源スイッチ２０を押すことによって電源をオフ状態にする場合がある。このような操作を行う場合であっても、術者は確実に電源をオフ状態にすることができる。
【００２４】
なお、凹面２３の形状は、断面形状が台形などの四辺形、三角形などであっても良く、また凹面は複数設けても良い。
【図面の簡単な説明】
【００２５】
【図１】本発明に係る内視鏡光源装置を有する内視鏡システムの一実施形態を示す概要図である。
【図２】図１の押しボタン式電源スイッチ部分の拡大図である。
【符号の説明】
【００２６】
１  内視鏡システム
１ａ  内視鏡
１ｂ  内視鏡光源装置
１０  操作部
１１  挿入部
１１ａ  先端面
１１ｂ  照明レンズ
１１ｃ  撮影手段
１２  ライトガイドケーブル
１３  アウトプットコネクタ
１４  光入射端面
１５  ライトガイド
１５ａ  差込用端部
１５ｂ  接続部
１６  コネクタ部
１７  プロセス回路用口金
１８  信号伝達ケーブル
２０  押しボタン式電源スイッチ
２１  押し面
２２  環状面
２３  凹面
２４  押し軸
３０  光源ランプ
４０  電源スイッチ補助板
４２  コイルバネ
４３ａ  電源部検知スイッチ
４３ｂ  ＣＰＵユニット検知スイッチ
４４  電源部
４５  押し当て部
５０  ＣＰＵユニット
５１  メモリ
６０  光源装置ケーシング
６１  接続穴
７０  プロセス回路
【図１】
2006055408.tif 000003
【図２】
2006055408.tif 000004